(57)【要約】【課題】  一般に普及している光ディスクプレーヤ等の画像再生装置を用いて、容易に光ディスク等に記録された画像データを作成時の色合いに調整可能にする色見本チャート及び色見本チャートを電子的に記録した記録媒体を提供する。【解決手段】色調整の基本となる画像３０、３８と、この色調整の基本となる画像よりも色合いが違う画像３１〜３６、３７、３８とを配置する色見本チャートを用いる。【選択図】    図３
2005072804.tif 000002
【特許請求の範囲】
【請求項１】
画面に映し出された映像の色調整のために用いる複数の画像を配置した色見本チャートであって、
前記複数の画像のうち、色調整の基本となる画像と、この色調整の基本となる画像とは色又は／及び明るさが異なる画像とを配置したことを特徴とする色見本チャート。
【請求項２】
前記色又は／及び明るさが異なる画像は、前記色調整の基本となる画像とは赤、緑、青のうちいずれかひとつ以上の要素が異なる又は色相、及び明るさが異なることを特徴とする請求項１に記載の色見本チャート。
【請求項３】
前記色調整の基本となる画像は、前記画面に映し出された映像が記録された記録媒体に記録されている静止画像から作成された画像であることを特徴とする請求項１または２に記載の色見本チャート。
【請求項４】
前記色調整の基本となる画像は、前記画面に映し出された映像が記録された記録媒体に記録されている動画像の静止画像から作成された画像であることを特徴とする請求項１または２に記載の色見本チャート。
【請求項５】
前記色見本チャートの基本となる画像とは、映像作成段階の画面に映し出された静止画と同一の色及び明るさとなる画像であることを特徴とした、請求項１乃至４に記載の色見本チャート。
【請求項６】
画面に映し出された映像の色調整のために用いる複数の画像を備え、前記複数の画像のうち、色調整の基本となる画像を映像再生装置のコンピュータに読み出し可能に記録した記録媒体。
【請求項７】
前記色調整の基本となる画像は、前記画面に映し出された映像が記録された記録媒体に記録されている静止画像から作成された画像であることを特徴とする請求項６に記載の記録媒体。
【請求項８】
前記色調整の基本となる画像は、前記画面に映し出された映像が記録された記録媒体に記録されている動画像の静止画像から作成された画像であることを特徴とする請求項６に記載の記録媒体。
【請求項９】
前記色見本チャートの基本となる画像とは、映像作成段階の画面に映し出された静止画と同一の色及び明るさとなる画像であることを特徴とした、請求項６乃至８に記載の記録媒体。
【発明の詳細な説明】
【技術分野】
【０００１】
この発明は、映像データを表示する場合に、映像データの色又は／及び明るさの基準となる色見本を配置した色見本チャート及び色見本チャートを電子的に記録した記録媒体に関する。
【背景技術】
【０００２】
ＤＶＤ等に記録されている映像コンテンツは、作成段階の色又は／及び明るさと、再生段階の色又は／及び明るさとが、再生環境によって一致せず、作成段階の色又は／及び明るさとは違う色又は／及び明るさで再生される等の問題があった。これを解決するために、光ディスク自身に色合わせ用のデータを予め記録しておき、このデータを光ディスクを再生する光ディスクプレーヤ等の画像再生装置が読み取り、読み取った画像再生装置に予め備わっている専用の画像調整機能によって、光ディスクの作成段階の正常な色又は／及び明るさに調整して再生を行う（例えば、特許文献１参照）。
【特許文献１】特願２００３−０２７８４７
【発明の開示】
【発明が解決しようとする課題】
【０００３】
ところが、このような構成では、光ディスクプレーヤ等の画像再生装置に専用の画像調整機能を搭載する必要があり、コストがかかる。また、すでに普及している光ディスクプレーヤ等では対応できない等の問題がある。
【０００４】
この発明は上記事情に着目してなされたもので、その目的とするところは、一般に普及している光ディスクプレーヤ等の画像再生装置を用いて、容易に光ディスク等に記録された画像データを作成時の色又は／及び明るさに調整可能にする色見本チャート及び色見本チャートを電子的に記録した記録媒体を提供することにある。
【課題を解決するための手段】
【０００５】
本発明はかかる課題を解決するものであり、請求項１の発明は、画面に映し出された映像の色調整のために用いる複数の画像を配置した色見本チャートであって、
前記複数の画像のうち、色調整の基本となる画像と、この色調整の基本となる画像とは色又は／及び明るさが異なる画像とを配置したことを特徴とする色見本チャートである。
【０００６】
したがって請求項１の発明は、色見本チャートは、複数の画像のうち、色調整の基本となる画像と、この色調整の基本となる画像とは色又は／及び明るさが異なる画像とが配置されている。このため、このように構成されている色見本チャートを用いて、一般に普及している光ディスクプレーヤ等の画像再生装置で、容易に光ディスク等に記録された画像データをコンテンツ作成時の色合いに調整することができる。
【０００７】
また、請求項２の発明は、前記色又は／及び明るさが異なる画像は、前記色調整の基本となる画像とは赤、緑、青のうちいずれかひとつ以上の要素が異なる又は色相、及び明るさが異なる画像としたものである。
【０００８】
したがって請求項２の発明は、色調整の基本となる画像が、赤、緑、青のうちいずれかひとつ以上の要素が異なる又は色相、及び明るさが異なる画像とされている。このため、赤、緑、青のうちいずれかひとつ以上の要素が異なる又は色相、及び明るさが異なるもの
のうち、いずれか１つ以上を調整することにより、より元の画像の色に近いように色調整することができる。
【０００９】
また、請求項３の発明は、前記色調整の基本となる画像は、前記画面に映し出された映像が記録された記録媒体に記録されている静止画像から作成された画像としたものである。
【００１０】
したがって請求項３の発明は、画面に映し出された映像が記録された記録媒体に記録されている静止画像から色調整の基本となる画像が作成されている。このため、光ディスクを再生した際に、メニューから色調整メニューを選択するだけで、色調整用画像データを呼び出すことができる。
【００１１】
また、請求項４の発明は、前記色調整の基本となる画像は、前記画面に映し出された映像が記録された記録媒体に記録されている動画像の静止画像から作成された画像としたものである。
【００１２】
したがって請求項４の発明は、画面に映し出された映像が記録された記録媒体に記録されている動画像の静止画像から色調整の基本となる画像が作成されている。このため、光ディスクうちに予め専用の色調整用画像データを記録しておく必要がなく、現在市販されている光ディスクをそのまま利用することができる。
【００１３】
また、請求項５の発明は、前記色見本チャートの基本となる画像とは、映像作成段階の画面に映し出された静止画と同一の色及び明るさとなる画像であることを特徴とした色見本チャートである。
【００１４】
したがって請求項５の発明は、色見本チャートの基本となる画像は、映像作成段階の画面に映し出された静止画と同一の色及び明るさとなる画像とした。このため、光ディスクうちに予め専用の色調整用画像データを記録しておく必要がなく、現在市販されている光ディスクをそのまま利用することができる。
【００１５】
また、請求項６の発明は、画面に映し出された映像の色調整のために用いる複数の画像を備え、前記複数の画像のうち、色調整の基本となる画像をコンピュータに読み出し可能に記録した記録媒体としたものである。
【００１６】
したがって請求項６の発明は、色調整の基本となる画像と、この色調整の基本となる画像よりも色又は／及び明るさが違う画像とが配置されている。このため、このように構成されている色見本チャートを用いて、一般に普及している光ディスクプレーヤ等の画像再生装置で、容易に光ディスク等に記録された画像データをコンテンツ作成時の色に調整することができる。
【００１７】
また、請求項７の発明は、前記色調整の基本となる画像は、前記画面に映し出された映像が記録された記録媒体に記録されている静止画像から作成された画像であることを特徴とする記録媒体としたものである。
【００１８】
したがって請求項７の発明は、画面に映し出された映像が記録された記録媒体に記録されている静止画像から色調整の基本となる画像が作成されている。このため、光ディスクを再生した際に、メニューから色調整メニューを選択するだけで、色調整用画像データを呼び出すことができる。
【００１９】
また、請求項８の発明は、前記色調整の基本となる画像は、前記画面に映し出された映像が記録された記録媒体に記録されている動画像の静止画像から作成された画像であることを特徴とする記録媒体としたものである。
【００２０】
したがって請求項８の発明は、画面に映し出された映像が記録された記録媒体に記録されている動画像の静止画像から色調整の基本となる画像が作成されている。このため、光ディスクうちに予め専用の色調整用画像データを記録しておく必要がなく、現在市販されている光ディスクをそのまま利用することができる。
【００２１】
また、請求項９の発明は、前記色見本チャートの基本となる画像とは、映像作成段階の画面に映し出された静止画と同一の色及び明るさとなる画像であることを特徴とした記録媒体としたものである。
【００２２】
したがって請求項９の発明は、色見本チャートの基本となる画像は、映像作成段階の画面に映し出された静止画と同一の色及び明るさとなる画像とした。このため、光ディスクうちに予め専用の色調整用画像データを記録しておく必要がなく、現在市販されている光ディスクをそのまま利用することができる。
【発明の効果】
【００２３】
請求項１の発明によれば、このように構成されている色見本チャートを用いて、一般に普及している光ディスクプレーヤ等の画像再生装置で、容易に光ディスク等に記録された画像データをコンテンツ作成時の色又は／及び明るさに調整することができる。
【００２４】
請求項２の発明によれば、赤、緑、青のうちいずれかひとつ以上の要素が異なる又は色相、及び明るさが異なるもの
のうち、いずれか１つ以上を調整することにより、より元の画像の色に近いように色調整することができる。
【００２５】
請求項３の発明によれば、光ディスクを再生した際に、メニューから色調整メニューを選択するだけで、色調整用画像データを呼び出すことができる。
【００２６】
請求項４の発明によれば、光ディスクうちに予め専用の色調整用画像データを記録しておく必要がなく、現在市販されている光ディスクをそのまま利用することができる。
【００２７】
請求項５の発明によれば、光ディスクうちに予め専用の色調整用画像データを記録しておく必要がなく、現在市販されている光ディスクをそのまま利用することができる。
【００２８】
請求項６の発明によれば、このように構成されている色見本チャートを用いて、一般に普及している光ディスクプレーヤ等の画像再生装置で、容易に光ディスク等に記録された画像データをコンテンツ作成時の色又は／及び明るさに調整することができる。
【００２９】
請求項７の発明によれば、光ディスクを再生した際に、メニューから色調整メニューを選択するだけで、色調整用画像データを呼び出すことができる。
【００３０】
請求項８の発明によれば、光ディスクうちに予め専用の色調整用画像データを記録しておく必要がなく、現在市販されている光ディスクをそのまま利用することができる。
【００３１】
請求項９の発明によれば、光ディスクうちに予め専用の色調整用画像データを記録しておく必要がなく、現在市販されている光ディスクをそのまま利用することができる。
【発明を実施するための最良の形態】
【００３２】
図１は、本発明の実施形態に係る色見本チャートを適用した色調整システムの一実施形態を示す構成ブロック図である。
【００３３】
この色調整システムは、図１に示すような構成となっている。色見本チャート１０は、例えば、ＤＶＤ（Digital Versatile Disc）等の光ディスクを用いたパッケージ媒体に記録された映像データの適切な色又は／及び明るさからなる画像と、この画像と色又は／及び明るさが異なる画像とが印刷されたものである。表示装置１２は、ＰＣ用液晶画面、ＰＣ用ＣＲＴ画面、液晶ＴＶ、ブラウン管ＴＶ、プラズマＴＶ等の映像を表示できる装置である。画像再生装置１４は、光ディスクプレーヤ等の画像が記録された記録媒体の画像を再生できるものである。
【００３４】
図２は、以上の色調整システムの形態を模式的に示した構成図である。映画等が記録された光ディスクパッケージ２２には、光ディスク２０と色見本チャート１０とがパーケージされている。また、光ディスク２０には、メニュー画面１２−２に示すようなメニューデータ及び色調整用画像データが含まれており、このメニューデータを光ディスクプレーヤ１４等で読み出して、メニュー画面１２−２上で色調整の項目を選択することで、色調整用画像データを呼び出し、色調整画面１２−１に示すように表示されるようになっている。そして、色調整画面１２−１上に表示されている、例えば、人物の写真と、色見本チャート１０と見比べて、ＴＶが備える色調整機能または光ディスクプレーヤ１４が備える色調整機能等を用いて色調整を行う。
【００３５】
色見本チャート１０の一例としては、図３に示すように、正確な色及び明るさである画像３０と、光の三原色であるＲ（赤）Ｇ（緑）Ｂ（青）のそれぞれの色が違う６つの画像３１〜３６を印刷しておく。例えば、画像３１はＢ（青）が弱い画像であり、画像３４はＢ（青）が強い画像である。また、画像３５はＲ（赤）が弱い画像であり、画像３２はＲ（赤）が強い画像である。さらに、画像３３はＧ（緑）が弱い画像であり、画像３６はＧ（緑）が強い画像である。このとき、例えば、色調整画面１２−１上に表示されている画像が画像３２に近い色であるときは、ＴＶまたは光ディスクプレーヤ１４の色調整機能を用いて、Ｒ（赤）の色を下げる。
【００３６】
一方、色見本チャート１０には、適正な明るさの画像３８と、この画像３８よりも明るさが違う画像（例えば、画像３８より明るい画像３７、画像３８より暗い画像３９等）が印刷されている。このとき、例えば、色調整画面１２−１上に表示されている画像が画像３７に近い明るさであるときは、ＴＶまたは光ディスクプレーヤ１４の色調整機能を用いて、明るさを下げる。
【００３７】
色見本チャート１０の別の例としては、図４に示すように、正確な色及び明るさである画像４０と、Ｒ（赤）とＢ（青）のそれぞれの色が違う４つの画像４１〜４４を印刷しておく。例えば、画像４１はＢ（青）が弱い画像であり、画像４３はＢ（青）が強い画像である。また、画像４４はＲ（赤）が弱い画像であり、画像４２はＲ（赤）が強い画像である。このとき、例えば、色調整画面１２−１上に表示されている画像が画像４４に近い色であるときは、ＴＶまたは光ディスクプレーヤ１４の色調整機能を用いて、Ｒ（赤）の色を上げる。
【００３８】
一方、色見本チャート１０には、適切な緑の色である画像４６と、この画像４６よりもＧ（緑）の色が強い画像４５や画像４６よりもＧ（緑）の色が弱い画像４７が印刷されている。このとき、例えば、色調整画面１２−１上に表示されている画像が画像４５に近い色であるときは、ＴＶまたは光ディスクプレーヤ１４の色調整機能を用いて、Ｇ（緑）の色を下げる。
【００３９】
さらに、別の色見本チャートの例としては、図５に示すように、正確な色又は／及び明るさである画像５０と、Ｒ（赤）の色が違う２つの画像５１、５２を印刷しておく。画像５１はＲ（赤）が弱い画像であり、画像５２はＲ（赤）が強い画像である。このとき、例えば、色調整画面１２−１上に表示されている画像が画像５１に近い色であるときは、ＴＶまたは光ディスクプレーヤ１４の色調整機能を用いて、Ｒ（赤）の色を上げる。
【００４０】
一方、色見本チャート１０には、適正な明るさの画像５４と、この画像５４よりも明るさが違う画像（例えば、画像５４より明るい画像５３、画像５４より暗い画像５５等）が印刷されている。このとき、例えば、色調整画面１２−１上に表示されている画像が画像５３に近い明るさであるときは、ＴＶまたは光ディスクプレーヤ１４の色調整機能を用いて、明るさを下げる。
【００４１】
さらに、色見本チャート１０の別の例としては、図６に示すように、正確な色及び明るさである画像６０と、それぞれの明るさが違う４つの画像６１、６２、６５、６６と、それぞれの色相（色合い）が違う４つの画像６３、６４、６７、６８とを印刷しておく。例えば、画像６１は、適正な画像６０よりも明るい画像であり、画像６２は、画像６１よりもさらに明るい画像である。また、画像６５は、適正な画像６０よりも暗い画像であり、画像６６は、画像６５よりもさらに暗い画像である。
【００４２】
このとき、例えば、色調整画面１２−１上に表示されている画像が画像６２に近い明るさであるときは、ＴＶまたは光ディスクプレーヤ１４の色調整機能を用いて、明るさを少し下げる。さらに、色調整画面１２−１上に表示されている画像が画像６１に近い明るさであるときは、ＴＶまたは光ディスクプレーヤ１４の色調整機能を用いて、明るさをさらに少し下げる。
【００４３】
一方、色見本チャート１０には、適正なコントラスト（黒のしまり）である画像６９−２と、この画像６９−２よりもコントラスト（黒のしまり）が違う画像（例えば、画像６９−１、画像６９−３等）が印刷されている。このとき、例えば、色調整画面１２−１上に表示されている画像の黒のしまり具合が画像６９−１または６９−３に近い黒であるときは、ＴＶまたは光ディスクプレーヤ１４の色調整機能を用いて、黒が画像６９−２に一番近くなるように調整を行う。
【００４４】
以上の構成であるので、一般に普及している光ディスクプレーヤ等の画像再生装置を用いて、容易に光ディスク等に記録された画像データをコンテンツ作成時の色又は／及び明るさに調整することができる。
【００４５】
また、色見本チャート１０の別の例としては、図７に示すように、正確な色相（色合い）である画像７１と、それぞれの色相（色合い）が違う２つの画像７０，７２と、正確な明るさである画像７４と、それぞれの明るさが違う２つの画像７３，７５と、正確な色の濃さである画像７７と、それぞれの色の濃さが違う２つの画像７６，７８とを印刷しておく。画像７３は、適正な画像７４よりも明るさが強い画像であり、画像７５は、画像７４よりも明るさが弱い画像である。さらに、画像７６は、適正な画像７７よりも色の濃さが濃い画像であり、画像７８は、画像７１よりも色の濃さが薄い画像である。このとき、例えば、色調整画面１２−１上に表示されている画像が画像７０に近い色合いであるときは、ＴＶまたは光ディスクプレーヤ１４の色調整機能を用いて、色合いを少し下げる。さらに、色調整画面１２−１上に表示されている画像が画像７６に近い色の濃さであるときは、ＴＶまたは光ディスクプレーヤ１４の色調整機能を用いて、色の濃さをに少し下げる。
【００４６】
なお、上述した実施形態を組み合わせた形態としてもよい。例えば、図５に示した色見本チャート１０のうち、明るさ調整を行うために参照する画像５３〜５５と、図６に示した色見本チャート１０のうち、色相の調整を行うために参照する画像６０〜６８とを組み合わせた色見本チャート１０としてもよい。
【００４７】
また、上述した実施形態では、基準となる画像３０、３８，４０，４６、５０，５４、６０，７１，７４，７７は、同一の画像であるが、任意に異なる画像とすることもできる。
【００４８】
さらに、上述した実施形態では、光ディスク２０うちに専用の色調整用画像データが含まれており、この色調整用画像データを呼び出して、色調整を行っているが、光ディスク２０に記録されている映画等のコンテンツデータの任意の時間の静止画を用いることもできる。例えば、設定されている時間が光ディスク２０の再生開始から４５分１０秒とすると、この４５分１０秒で光ディスク２０の再生を光ディスクプレーヤ１４により一時停止し、表示された静止画と、この静止画に対応する色見本チャート１０とを用いて色調整を行っても良い。このようにすることで、光ディスクうちに予め専用の色調整用画像データを記録しておく必要がなく、現在市販されている光ディスクをそのまま利用することができる。
【００４９】
なお、本実施形態で説明した色見本チャート１０と、色調整画面１２−１上に表示されている画像とを電子化して、これらの色を比較して自動的に色調整を行うコンピュータのプログラムに読み込み、実行させることができるプログラム（ソフトウエア手段）として、例えば磁気ディスク（フロッピーディスク、ハ一ドディスク等）、光ディスク（ＣＤ−ＲＯＭ、ＤＶＤ等）、半導体メモリ等の記録媒体に格納し、また通信媒体により伝送して頒布することもできる。なお、媒体側に格納されるプログラムには、計算機に実行させるソフトウエア手段（実行プログラムのみならずテーブルやデータ構造も含む）を計算機うちに構成させる設定プログラムをも含むものである。本装置を実現する計算機は、記録媒体に記録されたプログラムを読み込み、また場合により設定プログラムによりソフトウエア手段を構築し、このソフトウエア手段によって動作が制御されることにより上述した処理を実行する。
【図面の簡単な説明】
【００５０】
【図１】本発明の実施形態に係る色見本チャートを適用した色調整システムの一実施形態を示す構成ブロック図。
【図２】この発明の実施形態に係わる色調整システムの形態を模式的に示した構成図。
【図３】この発明の実施形態に係わる色見本チャートのうち、ＲＧＢの色相と明るさが異なる図を印刷した一例を示す模式図。
【図４】この発明の実施形態に係わる色見本チャートのうち、ＲＧＢの色相が異なるが図を印刷した一例を示す模式図。
【図５】この発明の実施形態に係わる色見本チャートのうち、Ｒの色相と明るさが異なる図を印刷した一例を示す模式図。
【図６】この発明の実施形態に係わる色見本チャートのうち、色相と明るさ、及び黒の度合いが異なるが図を印刷した一例を示す模式図。
【図７】この発明の実施形態に係わる色見本チャートのうち、色合いと明るさ、及び色の濃さが異なるが図を印刷した一例を示す模式図。
【符号の説明】
【００５１】
１０…色見本チャート、１２…表示装置、１２…メニュー画面、１２…色調整画面、１４…画像再生装置、１４…光ディスクプレーヤ、２０…光ディスク
【図１】
2005072804.tif 000003
【図２】
2005072804.tif 000004
【図３】
2005072804.tif 000005
【図４】
2005072804.tif 000006
【図５】
2005072804.tif 000007
【図６】
2005072804.tif 000008
【図７】
2005072804.tif 000009